(57)【要約】【課題】移動や持ち出しが可能な医療機器の位置を、医療従事者が把握することが可能な医療機器監視システムを提供する。【解決手段】医療機器Ｍなどに取り付けられる医療機器タグ２００が廊下灯ユニット１１を通じてナースコール親機２に識別情報Ｍ−ＩＤを定期的に送信して位置登録を行う。ナースコール親機２は、医療機器タグ２００から送信される識別情報Ｍ−ＩＤを、廊下灯ユニット１１〜１ｎを通じて、廊下灯ユニット１１〜１ｎの識別情報Ｃ−ＩＤとともに受信し、これらを対応づけて、配置データテーブルＡＤに記憶する。そして、ナースコール親機２は、医療従事者から指定される医療機器Ｍの識別情報Ｍ−ＩＤに対応づけられた廊下灯ユニット１１〜１ｎの識別情報Ｃ−ＩＤを、上記配置データテーブルＡＤから検出し、その廊下灯ユニットが配置される場所をタッチパネル／表示器２７１に表示して医療従事者に示すようにしたものである。【選択図】      図１
2006042043.tif 000002
【特許請求の範囲】
【請求項１】
医療機器に備えられる第１無線端末と、病院内に分散配置される複数の第２無線端末と、この複数の第２無線端末を収容する表示装置とを備える医療機器監視システムであって、
前記第１無線端末は、
自己に固有に割り当てられた第１識別情報を記憶する第１記憶手段と、
この第１記憶手段が記憶する前記第１識別情報を無線送信する無線送信手段とを備え、
前記第２無線端末は、
前記第１無線端末から無線送信される信号を受信する無線受信手段と、
自己に固有に割り当てられた第２識別情報を記憶する第２記憶手段と、
前記無線受信手段が受信した信号に含まれる前記第１識別情報と、前記第２記憶手段が記憶する前記第２識別情報とを対応づけて、前記表示装置に送信する送信手段とを備え、
前記表示装置は、
前記第２無線端末から送信される信号を受信する受信手段と、
前記第２無線端末が配置される場所を示す場所情報と、前記第２識別情報とを対応づけて第１の情報として記憶する第３記憶手段と、
前記受信手段が受信した信号に含まれる前記第１識別情報と前記第２識別情報とを対応づけて、第２の情報として記憶する第４記憶手段と、
前記第３記憶手段が記憶する第１の情報と、前記第４記憶手段が記憶する第２の情報とに基づいて、前記第１無線端末が位置する場所を検出して、この検出した場所を示す表示手段とを備えることを特徴とする医療機器監視システム。
【請求項２】
さらに、医療従事者から前記第１無線端末の指定を受け付ける受付手段を備え、
前記表示手段は、前記第４記憶手段が記憶する第２の情報から、前記受付手段が受け付けた第１無線端末の第１識別情報に対応づけられた第２識別情報を検出し、この検出した第２識別情報に対応づけられた場所情報を前記第３記憶手段が記憶する第１の情報から検出して、前記第１無線端末が位置する場所を示すことを特徴とする請求項１に記載の医療機器監視システム。
【請求項３】
さらに、時刻を検出する時刻検出手段を備え、
前記第４の記憶手段は、前記受信手段が受信した信号に含まれる前記第１識別情報と前記第２識別情報とを、前記時刻検出手段が検出した時刻に対応づけて、第２の情報として記憶することを特徴とする請求項１に記載の医療機器監視システム。
【請求項４】
前記表示手段は、前記第３記憶手段が記憶する第１の情報と、前記第４記憶手段が記憶する第２の情報とに基づいて、前記第１無線端末が位置していた場所と、この場所に前記第１無線端末が位置していた時刻とを検出して、この検出した場所と時刻とを示すことを特徴とする請求項３に記載の医療機器監視システム。
【請求項５】
さらに、医療従事者から前記第１無線端末の指定を受け付ける受付手段を備え、
前記表示手段は、前記第４記憶手段が記憶する第２の情報から、前記受付手段が受け付けた第１無線端末の第１識別情報に対応づけられた第２識別情報と時刻を検出し、この検出した第２識別情報に対応づけられた場所情報を前記第３記憶手段が記憶する第１の情報から検出して、前記第１無線端末が位置する場所と前記時刻とを示すことを特徴とする請求項３に記載の医療機器監視システム。
【発明の詳細な説明】
【技術分野】
【０００１】
この発明は、入院患者の病床まで運んで一時的に利用する医療機器を監視する医療機器監視システムに関する。
【背景技術】
【０００２】
周知のように、入院設備を整える病院では、入院患者の病床や病室近くまで検査機器や治療機器などの医療機器を運んで、入院患者の検査や治療を行っている（例えば、特許文献１参照）。
【０００３】
しかしながら、運ばれた医療機器は、一時的に利用しない状態が生じても、再び必要が生じることを配慮してその場に放置されたり、あるいは看護師などの医療従事者が多忙なために片づけ忘れて放置されることがある。
【０００４】
このように、所定の場所に片づけられていないために、例えば、他で緊急に上記医療機器が必要になった場合に、看護師は上記医療機器が放置された場所を探し回ることになり、迅速な対応が行えなかったり、医療現場が混乱する虞があるという問題があった。
【特許文献１】特開平１０−１３７１７３公報
【発明の開示】
【発明が解決しようとする課題】
【０００５】
従来では、医療機器が病院内のどこかに持ち出されて放置された場合、緊急時などに、医療従事者が上記医療機器が探し回ることになり、迅速な対応が行えなかったり、医療現場が混乱する虞があるという問題があった。
【０００６】
この発明は上記の問題を解決すべくなされたもので、移動や持ち出しが可能な医療機器の位置を、医療従事者が把握することが可能な医療機器監視システムを提供することを目的とする。
【課題を解決するための手段】
【０００７】
上記の目的を達成するために、この発明は、医療機器に備えられる第１無線端末と、病院内に分散配置される複数の第２無線端末と、この複数の第２無線端末を収容する表示装置とを備える医療機器監視システムであって、第１無線端末は、自己に固有に割り当てられた第１識別情報を記憶する第１記憶手段と、この第１記憶手段が記憶する第１識別情報を無線送信する無線送信手段とを備え、第２無線端末は、第１無線端末から無線送信される信号を受信する無線受信手段と、自己に固有に割り当てられた第２識別情報を記憶する第２記憶手段と、無線受信手段が受信した信号に含まれる第１識別情報と、第２記憶手段が記憶する第２識別情報とを対応づけて、表示装置に送信する送信手段とを備え、表示装置は、第２無線端末から送信される信号を受信する受信手段と、第２無線端末が配置される場所を示す場所情報と、第２識別情報とを対応づけて第１の情報として記憶する第３記憶手段と、受信手段が受信した信号に含まれる第１識別情報と第２識別情報とを対応づけて、第２の情報として記憶する第４記憶手段と、第３記憶手段が記憶する第１の情報と、第４記憶手段が記憶する第２の情報とに基づいて、第１無線端末が位置する場所を検出して、この検出した場所を示す表示手段とを具備して構成するようにした。
【発明の効果】
【０００８】
以上述べたように、この発明では、医療機器に備えられる第１無線端末が自己に固有に割り当てられた第１識別情報を無線送信し、これを受信した第２無線端末が、受信した第１識別情報と、自己に固有に割り当てられた第２識別情報とを対応づけて、表示装置に送信する。これに対して、表示装置は、予め第２無線端末が配置される場所を示す場所情報と、第２識別情報とを対応づけて第１の情報として記憶しておくとともに、第２無線端末から受信した第１識別情報と第２識別情報とを対応づけて、第２の情報として記憶し、上記第１の情報と第２の情報とに基づいて、第１無線端末が位置する場所を検出して、この検出した場所を示すようにしている。
【０００９】
したがって、この発明によれば、表示装置をナースセンタなどに設置することで、医療従事者はナースセンタなどにおいて、第１無線端末が取り付けられた医療機器の位置を把握することが可能な医療機器監視システムを提供できる。
【発明を実施するための最良の形態】
【００１０】
以下、図面を参照して、この発明の一実施形態について説明する。  
図１は、この発明の一実施形態に係わる医療機器監視システムの概略構成図である。なお、この実施形態では病棟に設置される看護支援用のナースコールシステムに適用した場合を例に挙げて説明する。
【００１１】
このナースコールシステムは、各病室の入口近傍の廊下側壁面や、トイレ、浴室など設置される廊下灯ユニット１１〜１ｎと、ナースセンタに設置されるセンタ装置として機能するナースコール親機２とを備え、廊下灯ユニット１１〜１ｎとナースコール親機２との間はそれぞれ通信線路を介して接続される。
【００１２】
またこのナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００１３】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１４】
廊下灯ユニット１１〜１ｎは、ＬＣＤ（Liquid Crystal Display）などを用いた表示部を備えており、これにナースコール親機２から送られる病室番号や患者名、病床番号（トイレや浴室に設置される場合は、その識別番号や名称）などを表示する機能を備えるとともに、医療機器Ｍなどに取り付けられる医療機器タグ２００と無線通信する機能を備える。なお、医療機器タグ２００の詳細な構成については後述する。医療機器Ｍは、搬送用のカートＣに搭載され、医療従事者によって運搬される。
【００１５】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。
【００１６】
無線基地局６１，６２はそれぞれ無線エリアを形成し、この無線エリア内に存在する携帯端末７１〜７ｍとの間で無線回線を介して接続される。局線インタフェースにはＰＢＸ４が接続される。携帯端末７１〜７ｍは、医者や看護師などの医療従事者が携帯する。
【００１７】
ところで、廊下灯ユニット１１〜１ｎおよび医療機器タグ２００は、図２に示すように構成される。なお、廊下灯ユニット１１〜１ｎは、同様の構成であることより、以下の説明では廊下灯ユニット１１を例に挙げて説明する。
【００１８】
廊下灯ユニット１１は、無線通信部１０１と、通信Ｉ／Ｆ１０２と、記憶部１０３と、表示部１０４と、操作部１０５と、警報部１０６と、制御部１１０とを備える。  
無線通信部１０１は、医療機器タグ２００から無線呼出信号を受信したり、医療機器タグ２００との間に無線通信リンクを開設して無線通信を行うものである。通信Ｉ／Ｆ１０２は、ナースコール親機２と通信するためのインターフェースである。
【００１９】
記憶部１０３は、制御部１１０の制御プログラムや制御データを記憶する他に、当該廊下灯ユニット１１に固有に割り当てられた識別情報Ｃ−ＩＤや、無線通信部１０１や通信Ｉ／Ｆ１０２を通じて受信したデータを記憶するものである。表示部１０４は、ＬＣＤなどを用いた表示部であって、文字や図形など種々の画像を表示するものである。
【００２０】
操作部１０５は、押しボタン式のスイッチなどで構成されるもので、主に医療従事者によって操作される。警報部１０６は、呼出発生を報知するための警報音を発するものである。制御部１１０は、当該廊下灯ユニット１１の各部を統括して制御するものであって、記憶部１０３に記憶される制御プログラムや制御データにしたがって種々の制御を行う。
【００２１】
また医療機器タグ２００は、医療機器Ｍに取り付けられるものであって、操作部２０１と、無線通信部２０２と、表示部２０３と、警報部２０４と、記憶部２０５と、通話部２０６と、バッテリ２０７と、制御部２１０とを備える。
【００２２】
操作部２０１は、押しボタン式のスイッチなどで構成されるもので、少なくとも応答用のスイッチを備える。このスイッチは、ナースコール親機２からの呼び出しに対して応答する場合などに操作するものである。
【００２３】
無線通信部２０２は、廊下灯ユニット１１の無線通信部１０１に宛てた無線呼出信号を送信したり、無線通信部１０１との間に無線通信リンクを開設して無線通信を行うものである。表示部２０３は、ＬＣＤなどを用いた表示部であって、文字や図形など種々の画像を表示するものである。警報部２０４は、音と光を発するものである。
【００２４】
記憶部２０５は、制御部２１０の制御プログラムや制御データを記憶する他に、当該医療機器タグ２００に固有に割り当てられた識別情報Ｍ−ＩＤや、無線通信部２０２を通じて受信したデータを記憶するものである。
【００２５】
通話部２０６は、マイクロホンとスピーカを備えたものであって、上記マイクロホンより入力される医療従事者の音声を符号化して音声データに変換して制御部２１０に出力し、また制御部２１０から与えられる音声データを復号して音声信号に変換し上記スピーカより拡声出力する。
【００２６】
制御部２１０は、当該医療機器タグ２００の各部を統括して制御するものであって、記憶部２０５に記憶される制御プログラムにしたがって種々の制御を行うほか、時間を計時する機能を備える。バッテリ２０７は、当該医療機器タグ２００の動作用電源であって、各部に電力を供給する。
【００２７】
またナースコール親機２は、図３に示すように構成される。ナースコール親機２は、制御部２０と、プログラムメモリ２１と、データメモリ２２と、通信Ｉ／Ｆ２３，２４と、ネットワークＩ／Ｆ２５と、通話Ｉ／Ｆ２６と、入力表示Ｉ／Ｆ２７と、タイマ２８とを備える。
【００２８】
制御部２０は、当該ナースコール親機２の各部を統括して制御するものであって、プログラムメモリ２１に記憶される制御プログラムや制御データにしたがって種々の制御を行う他に、時刻を計時する機能を備える。
【００２９】
また制御部２０は、データメモリ２２が接続されており、さらに通信インタフェース２３，２４と、ネットワークインタフェース２５と、通話インタフェース２６と、入力表示インタフェース２７と、タイマ２８がそれぞれ接続されている。
【００３０】
データメモリ２２は、図４に示すように、廊下灯ユニット１１〜１ｎに固有に割り振られた識別情報Ｃ−ＩＤと、廊下灯ユニット１１〜１ｎが設置される場所の名称（病室番号、トイレや浴室の識別番号や名称）と、廊下灯ユニット１１〜１ｎの近傍に存在する医療機器タグ２００に固有に割り当てられた識別情報Ｍ−ＩＤとを対応づけた配置データテーブルＡＤを記憶する。
【００３１】
またデータメモリ２２は、図５に示すように、医療機器タグ２００に固有に割り当てられた識別情報Ｍ−ＩＤと、その医療機器タグ２００が対応づけられた医療機器の名称とを対応づけた医療機器データテーブルＭＤを記憶する。
【００３２】
通信インタフェース２３は、制御部２０の制御の下、上記各廊下灯ユニット１１〜１ｎとの間で信号の伝送を行う。同様に通信インタフェース２４は、制御部２０の制御の下、上記ハンディナースコール主装置３との間で信号の送受信を行う。ネットワークインタフェース２５は、制御部２０の制御の下、上記ＬＡＮ７との間で信号の送受信を行う。
【００３３】
通話インタフェース２６には、看護師が通話を行うために使用するマイクロホン２６１およびスピーカ２６２が接続されている。通話インタフェース２６は、廊下灯ユニット１１〜１ｎとの間に通信リンクが形成された状態で、マイクロホン２６１から出力された話者の送話信号を符号化して制御部２０へ出力するとともに、制御部２０から供給された受話データを復号して受話信号を再生し、この受話信号をスピーカ２６２から拡声出力する。またスピーカ２６２は、患者から呼出が発生した時に鳴音やメロディを出力する際にも使用される。
【００３４】
入力表示インタフェース２７には、タッチパネル／表示器２７１が接続される。タッチパネル／表示器２７１は、例えばＣＲＴまたはＬＣＤからなる表示器の表示画面上に透明感圧シートを貼付したもので、情報の表示機能と入力機能とを併せ持っている。
【００３５】
また入力表示インタフェース２７は、制御部２０から供給された表示情報を上記タッチパネル／表示器２７１に表示すると共に、タッチパネル／表示器２７１を通じて入力された操作情報を制御部２０に供給する。  
タイマ２８は、時刻を計時する機能と、制御部２０からの指示に応じて時間を計る機能を備えもので、現在の時刻および計測した時間を制御部２０に通知する。
【００３６】
次に、上記構成のナースコールシステムの動作について説明する。以下の説明では特に、医療機器タグ２００の位置情報をナースコール親機２に登録する制御、医療機器タグ２００とナースコール親機２との間で音声通信を行う制御、ナースコール親機２にて医療機器タグ２００の位置を示す制御について説明する。
【００３７】
はじめに、医療機器タグ２００における動作を説明する。図６は、この動作を説明するためのフローチャートであって、医療機器タグ２００の制御部２１０によってなされる制御動作を示すものである。この動作は、電源が投入されると電源が切られるまで繰り返し実行される。
【００３８】
なお、このフローチャートの元となる制御プログラムは、記憶部２０５に記憶されており、電源投入により制御部２１０が記憶部２０５から上記制御プログラムを読み込んで実行する。
【００３９】
まずステップ６ａにおいて制御部２１０は、無線通信部２０２など、各部を起動し、ステップ６ｂに移行する。これにより、廊下灯ユニット１１〜１ｎからの無線信号が受信可能な状態となる。また制御部２１０は、時間のカウントを開始し、そのカウント値をｔとする。なお、以下の説明では、廊下灯ユニット１１〜１ｎのうち、廊下灯ユニット１１が医療機器タグ２００に最も近いものとする。
【００４０】
ステップ６ｂにおいて制御部２１０は、無線通信部２０２を制御して、廊下灯ユニット１１から当該医療機器タグ２００宛ての通信を要求する信号を受信したか否かを判定する。ここで、当該医療機器タグ２００宛ての通信を要求する信号を受信した場合には、ステップ６ｅに移行し、一方、上記信号を受信しない場合には、ステップ６ｃに移行する。
【００４１】
ステップ６ｃにおいて制御部２１０は、カウント値ｔが予め設定した時間Ｔを越えたか否かを判定する。ここで、カウント値ｔが予め設定した時間Ｔを越えている場合には、ステップ６ｄに移行し、一方、カウント値ｔが予め設定した時間Ｔを越えていない場合には、ステップ６ｂに移行する。
【００４２】
ステップ６ｄにおいて制御部２１０は、当該医療機器タグ２００に予め割り当てられている識別情報Ｍ−ＩＤを記憶部２０５から読み出して、無線通信部２０２を制御して、上記読み出した識別情報Ｍ−ＩＤを位置登録信号として無線送信するとともに、カウント値ｔをリセットして、カウントを再開（リスタート）させ、ステップ６ｂに移行する。
【００４３】
ステップ６ｅにおいて制御部２１０は、無線通信部２０２を制御して廊下灯ユニット１１との間に音声通信が可能な通信リンクを開設し、ステップ６ｆに移行する。これにより、制御部２１０は、上記通信リンクが開設されると、通話部２０６のマイクロホンから入力された話者の送話信号を符号化して無線通信部２０２を通じて無線送信するとともに、受信した無線信号に含まれる音声データを復号して、通話部２０６のスピーカから拡声出力する。
【００４４】
ステップ６ｆにおいて制御部２１０は、無線通信部２０２を制御して、廊下灯ユニット１１からの切断信号の受信を監視する。ここで、制御部２１０は、上記切断信号を受信した場合には、ステップ６ｇに移行し、一方、上記切断信号を受信しない場合には、再びステップ６ｆに移行して、通信リンクを維持した状態で上記切断信号受信の監視を継続する。  
ステップ６ｇにおいて制御部２１０は、無線通信部２０２を制御して、廊下灯ユニット１１との通信リンクを切断しステップ６ｂに移行する。
【００４５】
次に、廊下灯ユニット１１〜１ｎにおける動作を説明する。図７は、この動作を説明するためのフローチャートであって、廊下灯ユニット１１〜１ｎの制御部１１０によってなされる制御動作を示すものである。この動作は、電源が投入されると電源が切られるまで繰り返し実行される。
【００４６】
なお、廊下灯ユニット１１〜１ｎのいずれにおいても同じ動作がなされるため、以下の説明では、廊下灯ユニット１１を例に挙げて説明する。また、このフローチャートの元となる制御プログラムは、記憶部１０３に記憶されており、電源投入により制御部１１０が記憶部１０３から上記制御プログラムを読み込んで実行する。
【００４７】
まずステップ７ａにおいて制御部１１０は、無線通信部１０１および通信Ｉ／Ｆ１０２など、各部を起動する。そして、制御部１１０は、通信Ｉ／Ｆ１０２を通じてナースコール親機２と通信し、ナースコール親機２から自装置に対応する配置情報を取得し、これを記憶部１０３に記録するとともに、この配置情報に基づく画像を表示部１０４に表示し、ステップ４ｂに移行する。
【００４８】
ここで、廊下灯ユニット１１が病室の入口に設置されるものの場合には、上記配置情報に基づいて制御部１１０は、病室番号と、病床番号と患者名を対応づけた情報を表示部１０４に表示する。また、廊下灯ユニット１１が廊下灯ユニット１１がトイレや浴室に設置されるものの場合には、上記配置情報に基づいて制御部１１０は、トイレ名（またはトイレ番号）あるいは浴室名（または浴室番号）を表示部１０４に表示する。
【００４９】
ステップ７ｂにおいて制御部１１０は、通信Ｉ／Ｆ１０２を制御して、ナースコール親機２から医療機器タグ２００宛ての通信を要求する信号を受信したか否かを判定する。ここで、医療機器タグ２００宛ての通信を要求する信号を受信した場合には、ステップ７ｆに移行し、一方、上記信号を受信しない場合には、ステップ７ｃに移行する。
【００５０】
ステップ７ｃにおいて制御部１１０は、無線通信部１０１を制御して、医療機器タグ２００から位置登録信号を受信したか否かを判定する。ここで、医療機器タグ２００から位置登録信号を受信した場合には、ステップ７ｄに移行し、一方、上記位置登録信号を受信しない場合には、ステップ７ｂに移行する。
【００５１】
ステップ７ｄにおいて制御部１１０は、当該廊下灯ユニット１１に予め割り当てられている識別情報Ｃ−ＩＤを記憶部１０３から読み出し、ステップ７ｅに移行する。  
ステップ７ｅにおいて制御部１１０は、ステップ７ｄで読み出した識別情報Ｃ−ＩＤを、ステップ７ｃで受信した位置登録信号に付加する。そして、通信Ｉ／Ｆ１０２を制御して、上記識別情報Ｃ−ＩＤが付加された位置登録信号をナースコール親機２に送信して、ステップ７ｂに移行する。
【００５２】
ステップ７ｆにおいて制御部１１０は、通信Ｉ／Ｆ１０２を通じてナースコール親機２との間に音声通信が可能な通信リンクを開設するとともに、無線通信部１０１を制御して医療機器タグ２００との間に音声通信が可能な通信リンクを開設する。その後、制御部１１０は、ナースコール親機２との間に開設した通信リンクと、医療機器タグ２００との間に開設した通信リンクとを接続して、ステップ７ｇに移行する。これにより、ナースコール親機２と医療機器タグ２００との間に、廊下灯ユニット１１を介した音声通信が可能な通信リンクが開設されることになる。
【００５３】
ステップ７ｇにおいて制御部１１０は、通信Ｉ／Ｆ１０２を制御して、ナースコール親機２からの切断信号の受信を監視する。ここで、制御部１１０は、切断信号を受信した場合には、ステップ７ｈに移行し、一方、切断信号を受信しない場合には、再びステップ７ｇに移行して、通信リンクを維持した状態で上記切断信号受信の監視を継続する。
【００５４】
ステップ７ｈにおいて制御部１１０は、無線通信部１０１および通信Ｉ／Ｆ１０２を制御して、医療機器タグ２００との通信リンクおよびナースコール親機２との通信リンクをそれぞれ切断しステップ７ｂに移行する。
【００５５】
次に、ナースコール親機２における動作を説明する。図８は、この動作を説明するためのフローチャートであって、ナースコール親機２の制御部２０によってなされる制御動作を示すものである。この動作は、電源が投入されると、電源が切られるまで繰り返し実行される。なお、このフローチャートの元となる制御プログラムは、プログラムメモリ２１に記憶されており、電源投入により制御部２０がプログラムメモリ２１から上記制御プログラムを読み込んで実行する。
【００５６】
まず、ステップ８ａにおいて制御部２０は、各インターフェース２３，２４，２５など、各部を起動する。これによって各インターフェース２３，２４，２５に接続される機器と通信が可能な状態となり、ステップ８ｂに移行する。
【００５７】
ステップ８ｂにおいて制御部２０は、入力表示Ｉ／Ｆ２７を監視して、タッチパネル／表示器２７１を通じて、医療従事者から通信の要求が生じたか否かを判定する。ここで、タッチパネル／表示器２７１を通じて通信の要求が生じた場合には、ステップ８ｉに移行し、一方、上記要求が生じない場合には、ステップ８ｃに移行する。
【００５８】
ステップ８ｃにおいて制御部２０は、通信Ｉ／Ｆ２３を制御して、廊下灯ユニット１１〜１ｎから位置登録信号を受信したか否かを判定する。ここで、廊下灯ユニット１１〜１ｎのいずれかから位置登録信号を受信した場合には、ステップ８ｄに移行し、一方、いずれの廊下灯ユニット１１〜１ｎからも上記位置登録信号を受信しない場合には、ステップ８ｅに移行する。
【００５９】
ステップ８ｄにおいて制御部２０は、上記位置登録信号から、医療機器タグ２００のＭ−ＩＤと、廊下灯ユニット１１の識別情報Ｃ−ＩＤを検出し、これらを対応づけて、時刻情報ととともにデータメモリ２２に記憶される医療機器データテーブルＭＤに記録する。
【００６０】
また、制御部２０は、医療機器タグ２００のＭ−ＩＤと、廊下灯ユニット１１の識別情報Ｃ−ＩＤとの対応付けを、定期的に履歴データとしてデータメモリ２２に記録し、これにより、医療機器タグ２００が、どの廊下灯ユニット１１〜１ｎの近傍にいたかを示す情報を履歴データとしてデータメモリ２２に記録する。
【００６１】
なお、この履歴データは、タッチパネル／表示器２７１を通じた医療従事者からの要求により、制御部２０がデータメモリ２２から読み出し、タッチパネル／表示器２７１に表示する。
【００６２】
ステップ８ｅにおいて制御部２０は、入力表示Ｉ／Ｆ２７を監視して、タッチパネル／表示器２７１を通じて、医療従事者から、医療機器タグ２００（医療機器Ｍ）の位置の表示を求める要求が生じたか否かを判定する。ここで、タッチパネル／表示器２７１を通じて上記要求が生じた場合には、ステップ８ｆに移行し、一方、上記要求が生じない場合には、ステップ８ｂに移行する。
【００６３】
ステップ８ｆにおいて制御部２０は、データメモリ２２に記憶される医療機器データテーブルＭＤを読み出し、このデータテーブルＭＤに基づいて、入力表示Ｉ／Ｆ２７を通じてタッチパネル／表示器２７１に医療機器名を表示し、医療従事者から医療機器名の指定を受け付ける。
【００６４】
このために、制御部２０は、タッチパネル／表示器２７１を通じて医療従事者が医療機器名を指定すると、指定された医療機器名を入力表示Ｉ／Ｆ２７を通じて検出し、この検出した医療機器名に対応する医療機器タグ２００の識別情報Ｍ−ＩＤを検出し、ステップ８ｇに移行する。
【００６５】
ステップ８ｇにおいて制御部２０は、データメモリ２２に記憶される配置データテーブルＡＤを読み出し、このデータテーブルＡＤに基づいて、ステップ８ｆで検出した識別情報Ｍ−ＩＤに対応する医療機器タグ２００の所在を検出する。
【００６６】
このために、制御部２０は、ステップ８ｆで検出した識別情報Ｍ−ＩＤに対応づけられた廊下灯ユニット１１〜１ｎの識別情報Ｃ−ＩＤを、データテーブルＡＤから検出し、ステップ８ｈに移行する。
【００６７】
ステップ８ｈにおいて制御部２０は、ステップ８ｇで検出した識別情報Ｃ−ＩＤに対応づけられた名称を、配置データテーブルＡＤから検出し、この検出した名称（病室番号など）を入力表示Ｉ／Ｆ２７を通じてタッチパネル／表示器２７１に表示し、ステップ８ｂに移行する。これによりステップ８ｆで医療従事者から受け付けた医療機器名の所在がタッチパネル／表示器２７１に表示されることになる。
【００６８】
ステップ８ｉにおいて制御部２０は、データメモリ２２に記憶される医療機器データテーブルＭＤを読み出し、このデータテーブルＭＤに基づいて、入力表示Ｉ／Ｆ２７を通じてタッチパネル／表示器２７１に医療機器名を表示し、医療従事者から医療機器名の指定を受け付ける。
【００６９】
このために、制御部２０は、タッチパネル／表示器２７１を通じて医療従事者が医療機器名を指定すると、指定された医療機器名を入力表示Ｉ／Ｆ２７を通じて検出し、この検出した医療機器名に対応する医療機器タグ２００の識別情報Ｍ−ＩＤを検出し、ステップ８ｊに移行する。
【００７０】
ステップ８ｊにおいて制御部２０は、データメモリ２２に記憶される配置データテーブルＡＤを読み出し、このデータテーブルＡＤに基づいて、ステップ８ｉで検出した識別情報Ｍ−ＩＤに対応づけられた廊下灯ユニット１１〜１ｎの識別情報Ｃ−ＩＤを検出し、ステップ８ｋに移行する。
【００７１】
ステップ８ｋにおいて制御部２０は、通信Ｉ／Ｆ２３を制御して、廊下灯ユニット１１〜１ｎのうち、ステップ８ｊで検出した識別情報Ｃ−ＩＤに対応する廊下灯ユニット（以下の説明では廊下灯ユニット１１とする）に対して、医療機器タグ２００との通信を要求する信号を送出し、廊下灯ユニット１１との間に音声通信が可能な通信リンクを開設し、ステップ８ｌに移行する。
【００７２】
その後、制御部２０は、マイクロホン２６１および通話Ｉ／Ｆ２６を通じて入力される音声データを上記通信リンクを通じて送信するとともに、上記通信リンクを通じて受信される音声データを通話Ｉ／Ｆ２６およびスピーカ２６２を通じて拡声出力する。
【００７３】
すなわち、ナースコール親機２は、廊下灯ユニット１１を通じて、医療機器タグ２００との間に音声通信が可能な通信リンクが確立され、医療従事者は、医療機器タグ２００近傍の者と通話が可能となる。
【００７４】
その後、ナースコール親機２では、ステップ８ｌにおいて制御部２０が、入力表示Ｉ／Ｆ２７を制御して、タッチパネル／表示器２７１を通じた医療従事者からの終話要求を監視する。
【００７５】
ここで、制御部２０は、上記終話要求を検出した場合には、ステップ８ｍに移行し、一方、上記終話要求を検出しない場合には、再びステップ８ｌに移行して、通信リンクを維持した状態で上記終話要求の監視を継続する。  
ステップ８ｌにおいて制御部２０は、通信Ｉ／Ｆ２３を制御して、廊下灯ユニット１１との通信リンクを切断しステップ８ｂに移行する。
【００７６】
以上のように、上記構成の医療機器監視システムでは、医療機器Ｍなどに取り付けられる医療機器タグ２００が廊下灯ユニット１１を通じてナースコール親機２に識別情報Ｍ−ＩＤを定期的に送信して、位置登録を行う。
【００７７】
これに対してナースコール親機２は、医療機器タグ２００から送信される識別情報Ｍ−ＩＤを、廊下灯ユニット１１〜１ｎを通じて、廊下灯ユニット１１〜１ｎの識別情報Ｃ−ＩＤとともに受信し、これらの識別情報Ｍ−ＩＤとＣ−ＩＤを対応づけて、配置データテーブルＡＤに記憶する。
【００７８】
そして、ナースコール親機２は、医療従事者から要求があると、指定される医療機器Ｍの識別情報Ｍ−ＩＤに対応づけられた廊下灯ユニット１１〜１ｎの識別情報Ｃ−ＩＤを、上記配置データテーブルＡＤから検出し、検出した廊下灯ユニットが配置される場所の名称をタッチパネル／表示器２７１に表示して医療従事者に示すようにしている。
【００７９】
したがって、上記構成の医療機器監視システムによれば、医療機器Ｍは医療機器タグ２００が取り付けられることで、その所在がナースコール親機２に監視され、医療従事者の要求に応じて、その所在が示される。これにより、医療機器Ｍの位置を医療従事者が把握することができ、必要な医療機器Ｍの所在がわからなくて医療現場が混乱することを防止できる。
【００８０】
また、上記構成の医療機器監視システムでは、医療機器タグ２００のＭ−ＩＤと、廊下灯ユニット１１の識別情報Ｃ−ＩＤとの対応付けを、定期的に時刻と対応づけた履歴データとしてデータメモリ２２に記録している。  
したがって、上記構成の医療機器監視システムによれば、上記履歴データを参照することで、どの医療機器Ｍがどこにどの時刻からどれくらいの時間置かれていたかを知ることができる。
【００８１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００８２】
その一例として例えば、上記実施の形態では、医療機器タグ２００は、医療機器Ｍに取り付けるものとして説明したが、医療機器Ｍに内蔵するようにしてもよい。また、医療機器タグ２００は、医療機器Ｍを搬送するカートＣに取り付けたり、内蔵するようにしても同様の効果が得られる。
【００８３】
また、上記実施の形態では、医療機器タグ２００の所在を、廊下灯ユニット１１〜１ｎが設置される場所の名称で示すようにしたが、これに代わって例えば、データメモリ２２に廊下灯ユニット１１〜１ｎの配置を視覚的に示す地図データを記憶しておき、地図表示により医療機器タグ２００の所在を示すようにしてもよい。
【００８４】
さらに、上記の実施形態では、この発明に関わる医療機器監視システムを、看護支援用のナースコールシステムに適用した場合を例に挙げて説明したが、ナースコールシステムと独立に医療機器監視システムを設けるようにしてもよい。
【００８５】
そしてまた、上記実施の形態では、ナースコール親機２を通じた医療従事者の要求に応じて、医療機器タグ２００の所在を示すようにしたが、これに代わって例えば、医療従事者から特定の医療機器タグ２００を指示する要求がなくても、ナースコール親機２の制御部２０が、データメモリ２２に記憶される配置データテーブルＡＤおよび医療機器データテーブルＭＤに基づいて、複数の医療機器タグ２００の所在や、予め設定した医療機器タグ２００の所在をタッチパネル／表示器２７１を通じて示すようにしてもよい。  
その他、この発明の要旨を逸脱しない範囲で種々の変形を施しても同様に実施可能であることはいうまでもない。
【図面の簡単な説明】
【００８６】
【図１】この発明に係わるナースコールシステムの一実施形態の構成を示す図。
【図２】図１に示したナースコールシステムの廊下灯および医療機器タグの構成を示す回路ブロック図。
【図３】図１に示したナースコールシステムのナースコール親機の構成を示す回路ブロック図。
【図４】図３に示したナースコール親機のデータメモリに記憶される配置データテーブルの一例を示す図。
【図５】図３に示したナースコール親機のデータメモリに記憶される医療機器データテーブルの一例を示す図。
【図６】図２に示した医療機器タグの制御動作を説明するためのフローチャート。
【図７】図２に示した廊下灯の制御動作を説明するためのフローチャート。
【図８】図３に示したナースコール親機の制御動作を説明するためのフローチャート。
【符号の説明】
【００８７】
１１〜１ｎ…廊下灯ユニット、２…ナースコール親機、３…ハンディナースコール主装置、４…ＰＢＸ、５…公衆網、６…無線ユニット、６１，６２…無線基地局、７…ＬＡＮ、７１〜７ｍ…携帯端末、８…ハブ、９…看護支援サーバ、１０…プリンタ、２０…制御部、２１…プログラムメモリ、２２…データメモリ、２３，２４…通信Ｉ／Ｆ、２５…ネットワークＩ／Ｆ、２６…通話Ｉ／Ｆ、２６１…マイクロホン、２６２…スピーカ、２７…入力表示Ｉ／Ｆ、２７１…タッチパネル／表示器、２８…タイマ、１０１…無線通信部、１０２…通信Ｉ／Ｆ、１０３…記憶部、１０４…表示部、１０５…操作部、１０６…警報部、１１０…制御部、２００…医療機器タグ、２０１…操作部、２０２…無線通信部、２０３…表示部、２０４…警報部、２０５…記憶部、２０６…通話部、２０７…バッテリ、２１０…制御部、Ｃ…カート、Ｍ…医療機器。
【図１】
2006042043.tif 000003
【図２】
2006042043.tif 000004
【図３】
2006042043.tif 000005
【図４】
2006042043.tif 000006
【図５】
2006042043.tif 000007
【図６】
2006042043.tif 000008
【図７】
2006042043.tif 000009
【図８】
2006042043.tif 000010